(57)【要約】      （修正有）【課題】紐などが付された立体装飾品を取り付けた状態で配布又は差し出すことができ、かつこの装飾品を簡易に取り外しすることのできるグリーティングカード、メッセージカード又は名刺などの情報カードを提供する。【解決手段】特定情報が記載され、配布用媒体として使用される装飾品付き情報カードであって、情報カード１には、紐３が付された装飾品２が任意の位置に着脱自在に一体的に取り付けられ、装飾品は、立体物とされ、情報カードに設けられた１箇所以上の切込み４への一部はめ込みにより情報カードの表面側１ａに取り付けられ、また紐は、その自由端部に留め輪３ａが形成され、装飾品の近傍に設けられた小孔６を通して情報カードの裏面側に離隔されるとともに、留め輪により情報カードに設けられた紐留め用切込み５ａに掛け留めされる。【選択図】図１
0003222073.tif 000002
【実用新案登録請求の範囲】
【請求項１】
特定情報が記載され、配布用媒体として使用される装飾品付き情報カードであって、前記装飾品付き情報カードには、紐が付された装飾品が任意の位置に着脱自在に一体的に取り付けられていることを特徴とする装飾品付き情報カード。
【請求項２】
前記装飾品は、立体物とされ、前記装飾品付き情報カードに設けられた１箇所以上の切込みへの一部はめ込みにより前記装飾品付き情報カードの表面側に取り付けられ、また前記紐は、その自由端部に留め輪が形成され、前記装飾品の近傍に設けられた小孔を通して前記装飾品付き情報カードの裏面側に離隔されるとともに、前記留め輪により前記装飾品付き情報カードに設けられた紐留め用切込みに掛け留めされていることを特徴とする請求項１に記載の装飾品付き情報カード。
【請求項３】
前記紐留め用切込みは、Ｌ字形状とされ、前記紐の留め輪が掛け留め可能な位置にかつＬ字の直角側を紐側に向けて形成されていることを特徴とする請求項１又は２に記載の装飾品付き情報カード。
【請求項４】
前記紐留め用切込みは、Ｉ字形状とされ、前記紐の留め輪が掛け留め可能な位置にかつＩ字が紐と略直角となる向きで形成されていることを特徴とする請求項１又は２に記載の装飾品付き情報カード。
【請求項５】
前記装飾品は、アクセサリー又は水引いずれか一つであることを特徴とする請求項１〜４いずれか１項に記載の装飾品付き情報カード。
【請求項６】
請求項１〜５のいずれか１項に記載の装飾品付き情報カードは、グリーティングカード、メッセージカード又は名刺のいずれか一つであることを特徴とする装飾品付き情報カード。
【考案の詳細な説明】
【技術分野】
【０００１】  本考案は、装飾品付き情報カード、具体的にはアクセサリーや水引等の装飾品が取り付けられたグリーティングカード、メッセージカード、名刺等の情報カードに関する。
【背景技術】
【０００２】  情報の伝達に用いるグリーティングカード、メッセージカード、名刺などの情報カードは、単に平面の紙やプラスティックに氏名や住所や電話番号等の所要情報やグラフィックスを印刷し、第三者に配布又は差し出されている。
【先行技術文献】
【特許文献】
【０００３】
【特許文献１】特開２００２−４６７３１号  公報
【特許文献２】実開平６−５７６６９号  公報
【特許文献３】実開平６−７９６８号  公報
【考案の概要】
【考案が解決しようとする課題】
【０００４】  上述のように、第三者に情報の伝達のために配布又は差し出される情報カードは、たとえ模様や色彩等に工夫が施されていても情報の伝達が主目的でありかつ平面のため単調となり、受取る側に感動を与えることが少なかった。
このため、例えば特許文献１〜３に示すように、箱に装飾品を入れてメッセージを差し込んだもの、押し花を挟み込んだカード、あるいは装飾品付きメッセージカード等が立体的な情報カードとして考案されているが、いずれも受取り直後は感動を与えるが、その後の保管に困るものが多く、また装飾品のみを取り出すことを想定していなかった。【０００５】  本考案は、上記課題を解決するため、受取る側に感動を与えかつ装飾品をカードより簡単に取り外して単独で保管または使用できる情報カードの提供を目的とする。
【課題を解決するための手段】
【０００６】  上記目的を達成するため本考案は、特定情報が記載され、配布用媒体として使用される装飾品付き情報カードであって、前記装飾品付き情報カードには、紐が付された装飾品が任意の位置に着脱自在に一体的に取り付けられ、前記装飾品は、立体物とされ、前記装飾品付き情報カードに設けられた１箇所以上の切込みへの一部はめ込みにより前記装飾品付き情報カードの表面側に取り付けられ、また前記紐は、その自由端部に留め輪が形成され、前記装飾品の近傍に設けられた小孔を通して前記装飾品付き情報カードの裏面側に離隔されるとともに、前記留め輪により前記装飾品付き情報カードに設けられた紐留め用切込みに掛け留めされていることを特徴としている。
【考案の効果】
【０００７】  本考案の立体装飾品付き情報カードをグリーティングカード、メッセージカード又は名刺等に使用すれば、立体的で一体感のある情報カードを提供できるため、受取る側に感動を与えることができ、さらに装飾品を情報カードより簡単に取り外して単独で保管または使用することができるため、長期にわたり情報の価値の持続性を付加することができる。
【図面の簡単な説明】
【０００８】
【図１】本考案に係る装飾品付き情報カード（Ｌ字形状切込み入）の一例を示す正面図である。
【図２】図１に示す装飾品付き情報カード（Ｌ字形状切込み入）の背面図である。
【図３】図１に示す装飾品付き情報カード（Ｌ字形状切込み入）の平面図である。
【図４】本考案に係る装飾品付き情報カード（Ｉ字形状切込み入）の一例を示す正面図である。
【図５】本考案に係る装飾品付き情報カード（Ｉ字形状切込み入）の他の例を示す正面図である。
【考案を実施するための形態】
【０００９】  以下、本考案に係る装飾品付き情報カードの一実施の形態について、図１〜図５に基づいて説明する。
図１〜図５に示す装飾品付き情報カード１は、情報カードが名刺の場合の実施例を示している。
装飾品付き情報カード１には、紐３が付された装飾品２を取り付けるための切込み４、紐３を裏面側１ｂに通すための小孔６、並びに紐３を掛け留めるための紐留め用切込み５が設けられており、切込み４には装飾品２の一部をはめ込み、また紐留め用切込み５には装飾品近傍の小孔６を通して裏面側１ｂに離隔された紐３の自由端部に形成された留め輪３ａを掛け留めすることにより、装飾品２と紐３をカードに一体的に取り付けている。
【００１０】  また切込み４は、装飾品２の形状および大きさなどにより１箇所以上必要最小限の箇所に設け、紐留め用切込み５は、紐３の長さに応じて紐３に一定の張りが生じる位置に設けている。
紐留め用切込み５は、図１〜図３に示すようなＬ字形状切込み５ａ、また図４〜図５に示すようなＩ字形状切込み５ｂのいずれかの形状とし、Ｌ字形状切込み５ａの場合はＬ字の直角側を紐側に向けて形成され、Ｉ字形状切込み５ｂの場合はＩ字が紐と略直角となる向きで形成されている。
なお、Ｌ字形状切込み５ａには、Ｌ字への留め輪３ａの掛け留めの際に紐３の張りの調整機能を有しているためＬ字形状切込み５ａの使用の方が望ましい。
【００１１】  上述のように紐３が付された装飾品２は簡易な方法で情報カードに着脱自在に取り付けられているため、紐３が付された装飾品２は情報カードから簡単に取り外すことができる。
このため、情報カードは装飾品を取り外して保存もできるし、装飾品は取り外して使用することもできる。これは、情報カードの情報を保存保管しても、装飾品を使用している間はカード情報のイメージを保持したまま情報の紐づけができることを意味する。
【００１２】  本考案の装飾品付き情報カード１に取り付ける装飾品２は、請求項５に記載しているようにアクセサリー又は水引いずれか一つとすればさらに付加価値を高めることができる。なお、紐３はこれに替えて、チェーンやワイヤーを使用してもよい。
【００１３】  また、本考案の装飾品付き情報カード１は、請求項６に記載しているようにグリーティングカード、メッセージカード又は名刺のいずれか一つに使用すれば効果的である。
なお、カードの大きさは自由であって、上記以外にもパンフレット、説明書、宴会や式場の席次表・席次カードにも準じて使用することもできる。
【符号の説明】
【００１４】１    装飾品付き情報カード
１ａ  表面側
１ｂ  裏面側
２    装飾品
３    紐
３ａ  留め輪
４    切込み（装飾品取り付け用）
５    紐留め用切込み
５ａ  Ｌ字形状切込み
５ｂ  Ｉ字形状切込み
６    小孔
【図１】
0003222073.tif 000003
【図２】
0003222073.tif 000004
【図３】
0003222073.tif 000005
【図４】
0003222073.tif 000006
【図５】
0003222073.tif 000007
【手続補正書】
【提出日】平成31年4月5日(2019.4.5)
【手続補正１】
【補正対象書類名】実用新案登録請求の範囲
【補正対象項目名】全文
【補正方法】変更
【補正の内容】
【実用新案登録請求の範囲】
【請求項１】
特定情報が記載され、配布用媒体として使用される装飾品付きカードであって、前記装飾品付き情報カードには、紐が付された装飾品が任意の位置に着脱自在に一体的に取り付けられ、前記装飾品は、立体物とされ、前記装飾品付き情報カードに設けられた１箇所以上の切込みへの一部はめ込みにより前記装飾品付き情報カードの表面側に取り付けられ、また前記紐は、その自由端部に留め輪が形成され、前記装飾品の近傍に設けられた小孔を通して前記装飾品付き情報カードの裏面側に隔離されるとともに、前記留め輪により前記装飾品付き情報カードに設けられた紐止め用切込みに掛け留めされていることを特徴とする装飾品付き情報カード。
【請求項２】
前記紐止め用切込みは、Ｌ字形状とされ、前記紐の留め輪が掛け留め可能な位置にかつＬ字の直角側を紐側に向けて形成されていることを特徴とする請求項１に記載の装飾品付き情報カード。
【請求項３】
前記紐留め用切込みは、Ｉ字形状とされ、前記紐の留め輪が掛け留め可能な位置にかつＩ字が紐と略直角となる向きで形成されていることを特徴とする請求項１に記載の装飾品付き情報カード。
【請求項４】
前記装飾品は、アクセサリー又は水引のいずれか一つであることを特徴とする請求項１〜３いずれか１項に記載の装飾品付き情報カード。
【請求項５】
請求項１〜４のいずれか１項に記載の装飾品付き情報カードは、グリーティングカード、メッセージカード又は名刺のいずれか一つであることを特徴とする装飾品付き情報カード。
【手続補正２】
【補正対象書類名】明細書
【補正対象項目名】００１２
【補正方法】変更
【補正の内容】
【００１２】  本考案の装飾品付き情報カード１に取り付ける装飾品２は請求項４に記載しているようにアクセサリー又は水引いずれか一つとすればさらに付加価値を高めることができる。なお紐３はこれに替えて、チェーンやワイヤーを使用してもよい。
【手続補正３】
【補正対象書類名】明細書
【補正対象項目名】００１３
【補正方法】変更
【補正の内容】
【００１３】  また、本考案の装飾品付き情報カード１は、請求項５に記載しているようにグリーティングカード、メッセージカード又は名刺のいずれか一つに使用すれば効果的である。
なお、カードの大きさは自由であって、上記以外にもパンフレット、説明書、宴会や式場の席次表・席次カードにも準じて使用することもできる。